(57)【要約】【課題】折畳み式テントの側棒組を提供する。【解決手段】主に２本の柱棒頂部の固定台と相互に可動接続する上側棒及び２本の柱棒上に可動設置する滑動台と相互に可動接続し２組の上、下側棒の端部にそれぞれ相互に可動接続し構成する側棒組を含む。該上、下側棒の中部可動接続点は中心から偏って設置し、かつ該中部可動接続点は柱棒の片側から離れる方に向かい移動する。こうしてテントを張った後、該上、下側棒の中部可動接続点及び該２本の上側棒の相互に可動接続する端部可動接続点の高さは上昇し、開いた状態の下側棒組の低点はテント柱棒の高さに対して上昇する。【選択図】図３
0003131142.tif 000002
【実用新案登録請求の範囲】
【請求項１】
主に２本の柱棒頂部の固定台と相互に可動接続する上側棒、及び２本の該柱棒上に可動設置する滑動台と相互に可動接続する下側棒を含み、２組の上、下側棒の端部はそれぞれ相互に可動接続し側棒組を構成し、
該下側棒の中部可動接続点Aは中心から偏って設置し、かつ該中部可動接続点Aは該柱棒の片側から離れた方に向かい移動することを特徴とする折畳み式テントの側棒組。
【請求項２】
前記上、下側棒の中部可動接続点Aは、共に中心から偏って設置し、かつ前記中部可動接続点Aは、前記柱棒の片側から離れた方に移動することを特徴とする請求項１記載の折畳み式テントの側棒組。
【請求項３】
前記上、下側棒の中部可動接続点Aから前記下側棒の端部可動接続点Cまでの長さは、前記中部可動接続点Aから前記上側棒と前記固定台の可動接続点までの長さより小さいか或いは同等であることを特徴とする請求項１記載の折畳み式テントの側棒組。
【考案の詳細な説明】
【技術分野】
【０００１】
本考案は、折畳み式テントの側棒組に関する。
【背景技術】
【０００２】
公知の技術において、折畳み式大型テントの支柱は、図1、2に示すように、通常は若干の柱棒及び頂部サポート棒を含み、各相互に隣り合った２本の柱棒間には２組の交差サポート棒組を設置し、折畳みの便を図る。該２組の交差サポート棒組の構造形式は同一であるため、テントを張った後は、該２組の交差サポート棒組は地面と平行の状態を形成する。その相互に可動接続する低点B´の高度は、テント側辺の高度を制限し、テント内部の高度は十分となるが、該低点B´の制限により、人がテントを出入りする時、腰を曲げて出入りする必要があり、非常に不便である。柱棒の長さを足す方式で、テント側辺の高度を上げることはできるが、これではコストが増加してしまい、しかも柱棒が受ける重量が増加し、柱棒が長くなればなるほどサポートは不安定となる。すなわち、柱棒の長さを足し、テント側辺の高度を上げる方式は不経済であり、かつ効果も十分ではない。
【考案の開示】
【考案が解決しようとする課題】
【０００３】
本考案は、上記構造の問題点を解決した折畳み式テントの側棒組を提供するものである。
【課題を解決するための手段】
【０００４】
上記課題を解決するため、本考案は、下記の折畳み式テントの側棒組を提供する。それは、主に折畳み式テントの側棒組を提供し、その開いた使用状態での下側棒組の低点をテント柱棒の高さに対して上昇させることができ、すなわち該折畳み式テントの側棒組は２本の柱棒頂部の固定台と相互に可動接続する上側棒、及び２本の該柱棒上に可動設置する滑動台と相互に可動接続する下側棒、２組の上、下側棒の端部にそれぞれ相互に可動接続し構成する側棒組を含み、該下側棒の中部可動接続点は中心から偏って設置し、かつ該中部可動接続点は柱棒の片側から離れる方に向かい移動し、該上、下側棒の中部可動接続点は中心から偏って設置し、かつ該中部可動接続点は柱棒の片側から離れる方に向かい移動し、該上、下側棒の中部可動接続点から該下側棒の端部可動接続点までの長さは該中部可動接続点から該上側棒と該固定台の可動接続点までの長さより小さいか、或いは同等で、こうして本考案の側棒組の下側棒は中心から偏って設置し、かつ該中部可動接続点は柱棒の片側から離れる方に向かい移動するため、テントを張った後、該上、下側棒の中部可動接続点及び２本の上側棒と相互に可動接続する端部可動接続点（すなわち側棒組の低点）の高度は上昇し、テントの側辺高度は高くなり、かつテント本体の高度を増すことはなく、出入りの便を図る効果、或いはテントの側辺高度の不変を保持しながらテント柱棒の高さとテント全体の折畳んだ時の高さを下げることができることを特徴とする折畳み式テントの側棒組である。
【考案の効果】
【０００５】
上記のように、本考案は、テントを張った後、上、下側棒の中部可動接続点及び２本の上側棒と相互に可動接続する端部可動接続点（すなわち側棒組の低点）の高度は上昇し、テントの側辺高度を上げることができる。かつ、テント本体の高度を増すことなく、出入りの便を図る効果を達成する。さらに、テントの側辺高度の不変を保持しながらテント柱棒の高さとテント全体の折畳んだ時の高さを下げることができる。
【考案を実施するための最良の形態】
【０００６】
図3、4に示すように、本考案の側棒組は、２本の相互に隣り合った柱棒間に設置する。説明の便のため、該側棒組の各側棒はそれぞれ上側棒1及び下側棒2とする。その内、該上側棒1は、柱棒3頂部の固定台4と相互に可動接続する２本の側棒である。該下側棒2は、該柱棒3上に可動設置する滑動台5と相互に可動接続する２本の側棒で、２組の上、下側棒1、2の端部と各自相互に可動接続し側棒組を構成する。
【０００７】
本考案と公知構造の主要な相違点は、該下側棒2と該滑動台5の可動接続点Eから、該可動接続点Eと該上側棒1の中部可動接続点Aまでの長さが、該上側棒1と該固定台4の可動接続点Dから、該可動接続点Dと該下側棒2の中部可動接続点Aまでの長さより長い点である。しかも、伝統的な対称構造設計の製品観念を克服するため、該下側棒2の中部可動接続点Aは、中心から偏って設置し、該中部可動接続点Aを該柱棒3の片側から離れる方に向けて偏らせる。こうしてテントを張った後、該上、下側棒1、2の中部可動接続点Aの高度を上げることができ、自然に２本の上側棒1の相互に可動接続する端部可動接続点B（すなわち側棒組の低点B）の高度も上がり、テントの側辺高度も高くなる。こうして、テント本体の高度を上げずに、出入りの便を図る効果を達成し、或いはテントの側辺高度を不変に保持する状況において、テント柱棒の高度を下げることができ、テント全体の折畳んだ時の高さを低くすることができる。
【０００８】
本考案の特徴は、該下側棒2と該滑動台5の可動接続点Eから、該可動接続点Eと該上側棒1の中部可動接続点Aまでの長さが、該上側棒1と該固定台4の可動接続点Dから該可動接続点Dと該下側棒2の中部可動接続点Aまでの長さより長い点である。加えた長さが十分である時、張った後の柱棒3の地面に対する角度は大きくなり、該柱棒3は外に向けて傾斜する。この時、テント全体のサポート力はいっそう安定する。また、該上、下側棒1、2を中心から偏らせ設置後、該上、下側棒1、2の中部可動接続点Aから該下側棒2の端部可動接続点Cまでの長さは該中部可動接続点Aから該上側棒1と該固定台4の可動接続点Dの長さより小さいか、或いは同等とすることができる。こうして、該側棒組は折畳み後、その端部の可動接続点Cの高度は該柱棒3頂部の固定台4の高度より低くなり、折畳み後はテントの折畳み体積を増すことはない。
【図面の簡単な説明】
【０００９】
【図１】公知のテント支柱の立体指示図である。
【図２】公知のテント支柱の側面図である。
【図３】本考案テント支柱の最適実施例の立体指示図である。
【図４】本考案テント支柱の最適実施例の側面図である。
【符号の説明】
【００１０】
1       
上側棒
2       
下側棒
3       
柱棒
4       
固定台
5       
滑動台
A  中部可動接続点
B  端部可動接続点
C  端部可動接続点
D  可動接続点
E  可動接続点
【図１】
0003131142.tif 000003
【図２】
0003131142.tif 000004
【図３】
0003131142.tif 000005
【図４】
0003131142.tif 000006